【事件の表示】
　特許第３２０３３２５号「部分逆転ロ−タリ耕耘装置」の請求項１ないし３に係る特許に対する特許異議の申立てについて、次のとおり決定する。
【結　論】
　訂正を認める。
　特許第３２０３３２５号の請求項１ないし３に係る特許を取り消す。
【理　由】
１．手続きの経緯
　本件特許第３２０３３２５号の請求項１ないし３に係る発明についての出願は、平成５年９月２０日に出願した特願平５−２５７６６０号の一部を平成１１年１１月１９日に新たな特許出願とし、平成１３年６月２２日にその発明について特許権の設定登録がなされ、その後、本件請求項１ないし３に係る発明の特許に対し、平成１４年２月２６に井関農機株式会社より特許異議の申立てがなされ、取消の理由を通知したところ、その指定期間内である平成１４年８月１３日に訂正請求がなされたものである。
　
２．訂正の適否についての判断
２−１．訂正の内容
（１）訂正事項ａ
　特許明細書の特許請求の範囲の【請求項１】（本件特許公報１頁１欄２〜１３行）に記載された「主出力軸(６)に副出力軸(１２ａ)(１２ａ)を回転自在に外嵌して同芯二重軸に構成し、両出力軸(６)、(１２ａ)(１２ａ)を、耕耘ケ−ス(１)の両側壁に開設した開口孔(２)(２)を閉塞するように止着される着脱自在の蓋体(３)(３)に形成された支持筒部(３ａ)(３ａ)に内挿して回転自在に支承し、主出力軸(６)を耕耘ケ−ス(１)内において主伝動機構(４)に連動させ、かつ、副出力軸(１２ａ)(１２ａ)は、各々の内方軸端部に設けた受動ギヤ(１２)(１２)を前記主伝動機構(４)に連動する中間回転軸(５)に設けた駆動ギヤ(１１)(１１)に噛合させた副伝動機構(ＧＬ)(ＧＲ)によって主出力軸(６)とは反対方向に回転駆動するようになし、」を、
　「
耕耘ケ−ス(１)下部の左右側壁を外方に膨出しない平坦壁に形成しその平坦な左右側壁部に開口孔（２）（２）を開設して、各々の開口孔（２）（２）の外側をその開口孔の周縁に止着される着脱自在の蓋体（３）（３）で閉塞するようになし、蓋体（３）（３）に形成された支持筒部（３ａ）（３ａ）に、主出力軸（６）に副出力軸（１２ａ）（１２ａ）を回転自在に外嵌して同芯二重軸とした両出力軸（６）、（１２ａ）（１２ａ）を内挿して回転自在に支承し、主出力軸（６）を耕耘ケース（１）内において主伝動機構（４）に連動させ、副出力軸（１２ａ）（１２ａ）は各々の内方軸端部に設けた受動ギヤ（１２）（１２）を前記主伝動機構（４）に連動する中間回転軸（５）に設けた駆動ギヤ（１１）（１１）に噛合させた副伝動機構（ＧＬ）（ＧＲ）によって主出力軸（６）とは反対方向に回転駆動するようにして
　
（２）訂正事項ｂ
　特許明細書の特許請求の範囲の【請求項２】（本件特許公報１頁２欄１０行〜２頁３欄６行）に記載された「主出力軸(６)に副出力軸(１２ａ)(１２ａ)を回転自在に外嵌して同芯二重軸に構成し、両出力軸(６)、(１２ａ)(１２ａ)を、耕耘ケ−ス(１)の両側壁に開設した開口孔(２)(２)を閉塞するように止着される着脱自在の蓋体(３)(３)に形成された支持筒部(３ａ)(３ａ)に内挿して回転自在に支承し、主出力軸(６)を耕耘ケ−ス(１)内において主伝動機構(４)に連動させ、かつ、副出力軸(１２ａ)(１２ａ)は、各々の内方軸端部に設けた受動ギヤ(１２)(１２)を前記主伝動機構(４)に連動する中間回転軸(５)に設けた駆動ギヤ(１１)(１１)に噛合させた副伝動機構(ＧＬ)(ＧＲ)によって主出力軸(６)とは反対方向に回転駆動するようになし、」を、
　「
耕耘ケ−ス(１)下部の左右側壁を外方に膨出しない平坦壁に形成しその平坦な左右側壁部に開口孔（２）（２）を開設して、各々の開口孔（２）（２）の外側をその開口孔の周縁に止着される着脱自在の蓋体（３）（３）で閉塞するようになし、蓋体（３）（３）に形成された支持筒部（３ａ）（３ａ）に、主出力軸（６）に副出力軸（１２ａ）（１２ａ）を回転自在に外嵌して同芯二重軸とした両出力軸（６）、（１２ａ）（１２ａ）を内挿して回転自在に支承し、主出力軸（６）を耕耘ケース（１）内において主伝動機構（４）に連動させ、副出力軸（１２ａ）（１２ａ）は各々の内方軸端部に設けた受動ギヤ（１２）（１２）を前記主伝動機構（４）に連動する中間回転軸（５）に設けた駆動ギヤ（１１）（１１）に噛合させた副伝動機構（ＧＬ）（ＧＲ）によって主出力軸（６）とは反対方向に回転駆動するようにして
　
（３）訂正事項ｃ
　特許明細書の特許請求の範囲の【請求項２】（本件特許公報２頁３欄１７〜１８行）に記載された「それに外嵌する副出力軸(１２ａ)(１２ａ)」を、
　「
それに外嵌して反対方向に回転する
　
（４）訂正事項ｄ
　特許明細書の特許請求の範囲の【請求項３】（本件特許公報２頁３欄２２〜３３行）に記載された「主出力軸(６)に副出力軸(１２ａ)(１２ａ)を回転自在に外嵌して同芯二重軸に構成し、両出力軸(６)、(１２ａ)(１２ａ)を、耕耘ケ−ス(１)の両側壁に開設した開口孔(２)(２)を閉塞するように止着される着脱自在の蓋体(３)(３)に形成された支持筒部(３ａ)(３ａ)に内挿して回転自在に支承し、主出力軸(６)を耕耘ケ−ス(１)内において主伝動機構(４)に連動させ、かつ、副出力軸(１２ａ)(１２ａ)は、各々の内方軸端部に設けた受動ギヤ(１２)(１２)を前記主伝動機構(４)に連動する中間回転軸(５)に設けた駆動ギヤ(１１)(１１)に噛合させた副伝動機構(ＧＬ)(ＧＲ)によって主出力軸(６)とは反対方向に回転駆動するようになし、」を、
　「
耕耘ケ−ス(１)下部の左右側壁を外方に膨出しない平坦壁に形成しその平坦な左右側壁部に開口孔（２）（２）を開設して、各々の開口孔（２）（２）の外側をその開口孔の周縁に止着される着脱自在の蓋体（３）（３）で閉塞するようになし、蓋体（３）（３）に形成された支持筒部（３ａ）（３ａ）に、主出力軸（６）に副出力軸（１２ａ）（１２ａ）を回転自在に外嵌して同芯二重軸とした両出力軸（６）、（１２ａ）（１２ａ）を内挿して回転自在に支承し、主出力軸（６）を耕耘ケース（１）内において主伝動機構（４）に連動させ、副出力軸（１２ａ）（１２ａ）は各々の内方軸端部に設けた受動ギヤ（１２）（１２）を前記主伝動機構（４）に連動する中間回転軸（５）に設けた駆動ギヤ（１１）（１１）に噛合させた副伝動機構（ＧＬ）（ＧＲ）によって主出力軸（６）とは反対方向に回転駆動するようにして
　
（５）訂正事項ｅ
　特許明細書の特許請求の範囲の【請求項３】（本件特許公報２頁３欄４７〜４８行）に記載された「各々の第２耕耘筒(１３)(１３)内部を耕耘ケース(１)の内部とは分離された別室」を、
　「各々の第２耕耘筒(１３)(１３)内部を
背反に回転する主出力軸（６）と副出力軸（１２ａ）（１２ａ）間に介装するダストシール（１５）及び副出力軸（１２ａ）（１２ａ）と支持筒部（３ａ）（３ａ）間に介装するシール（１７）の共存によって
　
（６）訂正事項ｆ
　特許明細書の段落【０００４】の（本件特許公報２頁４欄３６〜４４行）に記載された「主出力軸に副出力軸を回転自在に外嵌して同芯二重軸に構成し、両出力軸を耕耘ケースの両側壁に開設した開口孔を閉塞するように止着される着脱自在の蓋体に形成された支持筒部に内挿して回転自在に支承し、主出力軸を耕耘ケース内において主伝動機構に連動させ、かつ、副出力軸は、各々の内方軸端部に設けた受動ギヤを前記主伝動機構に連動する中間回転軸に設けた駆動ギヤに噛合させた副伝動機構によって主出力軸とは反対方向に回転駆動するようになし、」を、
　「
耕耘ケ−ス(１)下部の左右側壁を外方に膨出しない平坦壁に形成しその平坦な左右側壁部に開口孔（２）（２）を開設して、各々の開口孔（２）（２）の外側をその開口孔の周縁に止着される着脱自在の蓋体（３）（３）で閉塞するようになし、蓋体（３）（３）に形成された支持筒部（３ａ）（３ａ）に、主出力軸（６）に副出力軸（１２ａ）（１２ａ）を回転自在に外嵌して同芯二重軸とした両出力軸（６）、（１２ａ）（１２ａ）を内挿して回転自在に支承し、主出力軸（６）を耕耘ケース（１）内において主伝動機構（４）に連動させ、副出力軸（１２ａ）（１２ａ）は各々の内方軸端部に設けた受動ギヤ（１２）（１２）を前記主伝動機構（４）に連動する中間回転軸（５）に設けた駆動ギヤ（１１）（１１）に噛合させた副伝動機構（ＧＬ）（ＧＲ）によって主出力軸（６）とは反対方向に回転駆動するようにして
　
（７）訂正事項ｇ
　特許明細書の段落【００１８】の（本件特許公報４頁７欄３８行〜４頁８欄１行）に記載された「主出力軸に副出力軸を回転自在に外嵌して同芯二重軸に構成し、両出力軸を耕耘ケースの両側壁に開設した開口孔を閉塞するように止着される着脱自在の蓋体に形成された支持筒部に内挿して回転自在に支承し、主出力軸を耕耘ケース内において主伝動機構に連動させ、かつ、副出力軸は、各々の内方軸端部に設けた受動ギヤを前記主伝動機構に連動する中間回転軸に設けた駆動ギヤに噛合させた副伝動機構によって主出力軸とは反対方向に回転駆動するようになし、」を、
　「
耕耘ケ−ス(１)下部の左右側壁を外方に膨出しない平坦壁に形成しその平坦な左右側壁部に開口孔（２）（２）を開設して、各々の開口孔（２）（２）の外側をその開口孔の周縁に止着される着脱自在の蓋体（３）（３）で閉塞するようになし、蓋体（３）（３）に形成された支持筒部（３ａ）（３ａ）に、主出力軸（６）に副出力軸（１２ａ）（１２ａ）を回転自在に外嵌して同芯二重軸とした両出力軸（６）、（１２ａ）（１２ａ）を内挿して回転自在に支承し、主出力軸（６）を耕耘ケース（１）内において主伝動機構（４）に連動させ、副出力軸（１２ａ）（１２ａ）は各々の内方軸端部に設けた受動ギヤ（１２）（１２）を前記主伝動機構（４）に連動する中間回転軸（５）に設けた駆動ギヤ（１１）（１１）に噛合させた副伝動機構（ＧＬ）（ＧＲ）によって主出力軸（６）とは反対方向に回転駆動するようにして
　
（８）訂正事項ｈ
　特許明細書の段落【００１８】の（本件特許公報４頁８欄１５行）に記載された「耕耘ケース側壁の開口孔」を、
　「
耕耘ケース（１）下方の外方に膨出しない平坦壁部に開設された開口孔（２）（２）
　
（９）訂正事項ｉ
　特許明細書の段落【００１９】の（本件特許公報４頁８欄１８行）に記載された「それに外嵌する」を、
　「
それに外嵌して反対方向に回転する
　
（１０）訂正事項ｊ
　特許明細書の段落【００１９】の（本件特許公報４頁８欄２２行）に記載された「その第２耕耘筒内部を」を、
　「その第２耕耘筒内部を
背反に回転する主出力軸と副出力軸間に介装するダストシール及び副出力軸と支持筒部間に介装するシールの共存により
　
２−２．訂正の目的の適否、新規事項の有無及び拡張・変更の存否
　上記訂正事項ａは、請求項１について、
　「耕耘ケース（１）」の構成を具体的に限定するものであるから、特許請求の範囲の減縮を目的とした明細書の訂正に該当する。
　
　上記訂正事項ｂ及びｃは、請求項２について、
　「耕耘ケース（１）」、及び、「副出力軸（１２ａ）（１２ａ）」の構成を具体的に限定するものであるから、特許請求の範囲の減縮を目的とした明細書の訂正に該当する。
　
　上記訂正事項ｄ及びｅは、請求項３について、
　「耕耘ケース（１）」、及び、「耕耘ケース（１）の内部とは分離された別室」の構成を具体的に限定するものであるから、特許請求の範囲の減縮を目的とした明細書の訂正に該当する。
　
　上記訂正事項ｆないしｊは、上記訂正事項ａないしｅと整合を図るものであるから、明りょうでない記載の釈明を目的とした明細書の訂正に該当する。
　
２−３．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議の申立てについての判断
３−１．本件発明
　上記２．で示したように上記訂正が認められるから、本件特許第３２０３３２５号の請求項１ないし３に係る発明（以下、「本件発明１」ないし「本件発明３」という。）は、平成１４年８月１３日に提出された訂正請求書の特許請求の範囲の請求項１ないし３に記載された次のとおりのものである。
「【請求項１】　耕耘ケ−ス(１)下部の左右側壁を外方に膨出しない平坦壁に形成しその平坦な左右側壁部に開口孔（２）（２）を開設して、各々の開口孔（２）（２）の外側をその開口孔の周縁に止着される着脱自在の蓋体（３）（３）で閉塞するようになし、
　蓋体（３）（３）に形成された支持筒部（３ａ）（３ａ）に、主出力軸（６）に副出力軸（１２ａ）（１２ａ）を回転自在に外嵌して同芯二重軸とした両出力軸（６）、（１２ａ）（１２ａ）を内挿して回転自在に支承し、
　主出力軸（６）を耕耘ケース（１）内において主伝動機構（４）に連動させ、
　副出力軸（１２ａ）（１２ａ）は各々の内方軸端部に設けた受動ギヤ（１２）（１２）を前記主伝動機構（４）に連動する中間回転軸（５）に設けた駆動ギヤ（１１）（１１）に噛合させた副伝動機構（ＧＬ）（ＧＲ）によって主出力軸（６）とは反対方向に回転駆動するようにして、
　副伝動機構(ＧＬ)(ＧＲ)の駆動ギヤ(１１)(１１)を支持する中間回転軸(５)の両軸端部を前記蓋体(３)(３)に形成した軸受支持部に支承するとともに、
　前記副伝動機構(ＧＬ)(ＧＲ)のギヤ列(１１)(１２)、(１１)(１２)を耕耘ケース(１)の側壁に開設された開口孔(２)(２)に各々填まり込み位置させ、前記支持筒部(３ａ)(３ａ)から横側方に突出する副出力軸(１２ａ)(１２ａ)によって第２耕耘筒(１３)(１３)を回転駆動し、
　副出力軸(１２ａ)(１２)の外側軸端部から更に横外方に突出する主出力軸(６)で第１耕耘筒(３０)(３０)を回転駆動するようにしてある部分逆転ロータリ耕耘装置。
【請求項２】　耕耘ケ−ス(１)下部の左右側壁を外方に膨出しない平坦壁に形成しその平坦な左右側壁部に開口孔（２）（２）を開設して、各々の開口孔（２）（２）の外側をその開口孔の周縁に止着される着脱自在の蓋体（３）（３）で閉塞するようになし、
　蓋体（３）（３）に形成された支持筒部（３ａ）（３ａ）に、主出力軸（６）に副出力軸（１２ａ）（１２ａ）を回転自在に外嵌して同芯二重軸とした両出力軸（６）、（１２ａ）（１２ａ）を内挿して回転自在に支承し、
　主出力軸（６）を耕耘ケース（１）内において主伝動機構（４）に連動させ、
　副出力軸（１２ａ）（１２ａ）は各々の内方軸端部に設けた受動ギヤ（１２）（１２）を前記主伝動機構（４）に連動する中間回転軸（５）に設けた駆動ギヤ（１１）（１１）に噛合させた副伝動機構（ＧＬ）（ＧＲ）によって主出力軸（６）とは反対方向に回転駆動するようにして、
　副伝動機構(ＧＬ)(ＧＲ)の駆動ギヤ(１１)(１１)を支持する中間回転軸(５)の両軸端部を前記蓋体(３)(３)に形成した軸受支持部に支承するとともに、
　前記副伝動機構(ＧＬ)(ＧＲ)のギヤ列(１１)(１２)、(１１)(１２)を耕耘ケース(１)の側壁に開設された開口孔(２)(２)に各々填まり込み位置させ、前記支持筒部(３ａ)(３ａ)から横側方に突出する副出力軸(１２ａ)(１２ａ)によって第２耕耘筒(１３)(１３)を回転駆動し、
　副出力軸(１２ａ)(１２ａ)の外側軸端部から更に横外方に突出する主出力軸(６)で第１耕耘筒(３０)(３０)を回転駆動するようにした部分逆転ロータリ耕耘装置において、
　前記主出力軸(６)とそれに外嵌して反対方向に回転する副出力軸(１２ａ)(１２ａ)との間にダストシール(１５)を介装するとともに、
　副出力軸(１２ａ)(１２ａ)と支持筒部(３ａ)(３ａ)との間にシール(１７)をそれぞれ介装してある部分逆転ロータリ耕耘装置。
【請求項３】　耕耘ケ−ス(１)下部の左右側壁を外方に膨出しない平坦壁に形成しその平坦な左右側壁部に開口孔（２）（２）を開設して、各々の開口孔（２）（２）の外側をその開口孔の周縁に止着される着脱自在の蓋体（３）（３）で閉塞するようになし、
　蓋体（３）（３）に形成された支持筒部（３ａ）（３ａ）に、主出力軸（６）に副出力軸（１２ａ）（１２ａ）を回転自在に外嵌して同芯二重軸とした両出力軸（６）、（１２ａ）（１２ａ）を内挿して回転自在に支承し、
　主出力軸（６）を耕耘ケース（１）内において主伝動機構（４）に連動させ、
　副出力軸（１２ａ）（１２ａ）は各々の内方軸端部に設けた受動ギヤ（１２）（１２）を前記主伝動機構（４）に連動する中間回転軸（５）に設けた駆動ギヤ（１１）（１１）に噛合させた副伝動機構（ＧＬ）（ＧＲ）によって主出力軸（６）とは反対方向に回転駆動するようにして、
　副伝動機構(ＧＬ)(ＧＲ)の駆動ギヤ(１１)(１１)を支持する中間回転軸(５)の両軸端部を前記蓋体(３)(３)に形成した軸受支持部に支承するとともに、
　前記副伝動機構(ＧＬ)(ＧＲ)のギヤ列(１１)(１２)、(１１)(１２)を耕耘ケース(１)の側壁に開設された開口孔(２)(２)に各々填まり込み位置させ、前記支持筒部(３ａ)(３ａ)から横側方に突出する副出力軸(１２ａ)(１２ａ)によって第２耕耘筒(１３)(１３)を回転駆動し、
　副出力軸(１２ａ)(１２ａ)の外側軸端部から更に横外方に突出する主出力軸(６)で第１耕耘筒(３０)(３０)を回転駆動するようにした部分逆転ロータリ耕耘装置において、
　副出力軸(１２ａ)(１２ａ)によって回転駆動される第２耕耘筒(１３)(１３)を前記支持筒部(３ａ)(３ａ)の外径部にそれぞれ回転自在に軸受支承して、
　各々の第２耕耘筒(１３)(１３)内部を背反に回転する主出力軸（６）と副出力軸（１２ａ）（１２ａ）間に介装するダストシール（１５）及び副出力軸（１２ａ）（１２ａ）と支持筒部（３ａ）（３ａ）間に介装するシール（１７）の共存によって耕耘ケース（１）の内部とは分離された別室として独立に油封潤滑するようにしてある部分逆転ロータリ耕耘装置。」
　
３−２．引用刊行物に記載された発明
（１）当審で通知した取消しの理由で引用した刊行物１（実願平４−１７０６０号（実開平５−６７２０４号）のＣＤ−ＲＯＭ（甲第１号証））には、次の事項が記載されている
(1-a).「【００１３】　図３は、本考案の他の実施例を示しており、該例にあっては、回転体(４)である傾斜耕耘爪軸筒を、伝動ケ−ス本体(１)の左右両脇部に取り付けた軸受ホルダ(１９)の傾斜外径部に回転自由に支承し、駆動軸(２)の水平軸心に対し一定角度傾斜した軸心の回りを傾斜耕耘爪軸筒が回転して、それに止着される耕耘爪(５)が伝動ケ−ス本体(１)直下の土中に斜めに打ち込まれるように構成されている。
　なお、この例における逆転駆動系は、伝動ケ−ス本体(１)に設けられた支持軸(２０)に嵌着するスプロケット(２１)を、耕耘駆動系のチエンに噛合させ、スプロケット(２１)に受けた動力を、支持軸(２０)の他部位に嵌着するギア(２２)から駆動軸(２)に遊転状に支持されたギア(２３)に伝動し、そのギア(２３)のボス部の外方端部に嵌着する最終ギア(２４)から傾斜耕耘爪軸筒の内径部に形設される受ギア部(２５)に伝えて、傾斜耕耘爪軸筒を主耕耘爪軸筒(３)に対して逆転させるように構成されている。」（段落【００１３】）
(1-b).そして、「伝動ケ−ス本体(１)の左右両脇部に取り付けた軸受ホルダ(１９)（７頁２０〜２１行）」の記載からも分かるように「伝動ケース本体（１）」と「軸受ホルダ(１９)」は別部材であり、【図３】には「伝動ケース本体（１）下部の左右側壁を外方に膨出しない平坦壁に形成した」構成が記載されている。
　以上の記載及び図面第１ないし３図によれば、刊行物１には、以下の発明が記載されていると認められる。
「伝動ケース本体（１）下部の左右側壁を外方に膨出しない平坦壁に形成し、
　軸受ホルダ(１９)に形成された軸受ホルダ(１９)の傾斜外径部に、駆動軸（２）にギア（２３)（２３）のボス部を回転自在に外嵌して同芯二重軸とした駆動軸（２）及びギア（２３)（２３）のボス部を内挿して回転自在に支承し、
　ギア（２３)（２３）のボス部は、各々の内方軸端部に設けたギア（２３）を支持軸（２０）に設けたギヤ(２２)(２２)に噛合させた逆転駆動系によって駆動軸（２）とは反対方向に回転駆動するようになし、
　逆転駆動系のギア（２２）（２２）を支持する支持軸（２０）の両軸端部を、前記軸受けホルダ（１９）（１９）に形成した軸受支持部に支承するとともに、
　前記逆転駆動系のギア（２２）（２３）、（２２）（２３）を 伝動ケ−ス本体(１)の側壁に各々填まり込み位置させ、前記軸受ホルダ(１９)の傾斜外径部から横側方に突出するギア（２３)（２３）のボス部によって傾斜耕耘爪軸筒（４）を回転駆動し、
　ギア（２３)（２３）のボス部の外側軸端部から更に横外方に突出する駆動軸（２）で主耕耘爪軸筒(３)(３)を回転駆動するようにしてある部分逆転ロ−タリ耕耘装置。」
　
（２）当審で通知した取消しの理由で引用した刊行物２（特公昭４６−３９０４１号公報（甲第２号証の２））には、次の事項が記載されている
(2-a).「一方耕耘部伝動ケース１の下端部両側には、耕耘駆動軸２を囲繞する筒体１２がその駆動軸２に対し傾斜して、即ち筒体外端が斜め下方きになるように傾斜して固定されており、この筒体１２に残耕処理のための傾斜耕耘筒１３が嵌合されている。」（２頁３欄２〜７行）
(2-b).「従つて耕耘機本体側の動力により耕耘部伝動ケース１内のチエン４を駆動させると、スプロケツト３を介して耕耘駆動軸２が回転し、これに嵌着した水平耕耘軸２２が第２図矢印ａ方向へ回転すると同問に、一方、チエン４の駆動によりスプロケツト７を介して中間軸５が回転し、この中間軸５の回転が歯車８，１１を介して耕耘駆動軸２に遊嵌した軸筒１０へ伝動され、軸筒１０より噛合爪２０，２１を介して傾斜耕耘筒１３が第２図矢印ｂ方向へ、つまり前記水平耕耘爪軸２２の回転方向と逆方向へ回転する。」（２頁３欄３７行〜４欄９行）
(2-c). そして、第１及び３図には、ボルトにより筒体１２を耕耘部伝動ケース１に固着した点が記載されている。
　
（３）当審で通知した取消しの理由で引用した刊行物３（実願昭５９−７９１６５号（実開昭６０−１９１１０１号）のマイクロフィルム（甲第３号証））には、次の事項が記載されている
(3-a).「このシール４５によって、上記耕耘ケース１４内の空室４９は、上記クロス爪軸ホルダ１８内の空室５１から遮断されることとなり、結局二室４９、５１が存在することとなる。
二室に分かたれることから、空室４９にはオイルを、空室５１にはグリスを充填することができる。
かくて、泥土は第一室たるたわみシール５０、クロス爪軸２０、シール４５等で囲繞される部屋５１の存在により、第二室たる耕耘ケース１４の部屋４９内への侵入が妨害され、他方、耕耘ケース１４内の油は第二室５１への漏出が防止されることとなる。」（６頁１５行〜７頁７行）
　
３−３．対比判断
（１）本件発明１について
　本件発明１と刊行物１に記載された発明とを比較すると、
　刊行物１に記載された発明における「伝動ケース本体（１）」、「軸受ホルダ(１９)」、「軸受ホルダ(１９)の傾斜外径部」、「駆動軸（２）」、「ギア（２３)（２３）のボス部」、「駆動軸（２）及びギア（２３)（２３）のボス部」、「ギア（２３）」、「支持軸（２０）」、「ギア（２２）（２２）」、「逆転駆動系」、「ギア（２２）（２３）、（２２）（２３）」、「傾斜耕耘爪軸筒（４）」、「主耕耘爪軸筒(３)(３)」は、
　本件発明１の「耕耘ケ−ス(１)」、「蓋体（３）（３）」、「支持筒部（３ａ）（３ａ）」、「主出力軸(６)」、「副出力軸(１２ａ)(１２ａ)」、「両出力軸(６)、(１２ａ)(１２ａ)」、「受動ギヤ(１２)(１２)」、「中間回転軸(５)」、「駆動ギア（１１）（１１）」、「副伝動機構（ＧＬ）（ＧＲ）」、「ギヤ列(１１)(１２)、(１１)(１２)」、「第２耕耘筒(１３)(１３)」、「第１耕耘筒(３０)(３０)」、にそれぞれ相当する。
　したがって、両者は「耕耘ケ−ス下部の左右側壁を外方に膨出しない平坦壁に形成し、
　蓋体に形成された支持筒部に、主出力軸に副出力軸を回転自在に外嵌して同芯二重軸とした両出力軸を内挿して回転自在に支承し、
　副出力軸は各々の内方軸端部に設けた受動ギヤを中間回転軸に設けた駆動ギヤに噛合させた副伝動機構によって主出力軸とは反対方向に回転駆動するようにして、
　副伝動機構の駆動ギヤを支持する中間回転軸の両軸端部を、前記蓋体に形成した軸受支持部に支承するとともに、
　副出力軸の外側軸端部から更に横外方に突出する主出力軸で第１耕耘筒を回転駆動するようにしてある部分逆転ロ−タリ耕耘装置。」である点で一致し、
次の点で相違する。
（Ａ）本件発明１は、「耕耘ケ−ス(１)下部の左右側壁部に開口孔（２）（２）を開設して、各々の開口孔（２）（２）の外側をその開口孔の周縁に止着される着脱自在の蓋体（３）（３）で閉塞するようになし」、支持筒部（３ａ）（３ａ）を蓋体（３）（３）に形成した構成であるのに対して、
　刊行物１に記載された発明は、耕耘ケース下部の左右側壁部に開口孔を開設したものであるかどうか、蓋体［軸受けホルダ（１９）が相当］が耕耘ケースに対して着脱自在であるかどうか明らかでないため、前記構成を備えているかどうか明らかでない点。
（Ｂ）本件発明１は、「主出力軸(６)を耕耘ケ−ス(１)内において主伝動機構(４)に連動させ、副出力軸(１２ａ)(１２ａ)は、各々の内方軸端部に設けた受動ギヤ(１２)(１２)を前記主伝動機構(４)に連動する中間回転軸(５)に設けた駆動ギヤ(１１)(１１)に噛合させた副伝動機構(ＧＬ)(ＧＲ)によって主出力軸(６)とは反対方向に回転駆動するようにし」た構成であるのに対して、
　刊行物１に記載された発明は、主伝動機構の構成が明らかでないため、主出力軸と中間回転軸とが主伝動機構と連動している構成であるかどうか明らかでない点。
（Ｃ）本件発明１は、「副伝動機構(ＧＬ)(ＧＲ)のギヤ列(１１)(１２)、(１１)(１２)を耕耘ケ−ス(１)の側壁に開設された開口孔(２)(２)に各々填まり込み位置させ、支持筒部(３ａ)(３ａ)から横側方に突出する副出力軸(１２ａ)(１２ａ)によって第２耕耘筒(１３)(１３)を回転駆動」する構成であるのに対して、
　刊行物１に記載された発明は、耕耘ケ−スの側壁に開口孔が開設されたものであるかどうか明らかでないため、前記構成を備えているかどうか明らかでない点。
　
　上記相違点（Ａ）ないし（Ｃ）について検討する。
　
相違点（Ａ）について
　刊行物２の第１及び３図を参照すると、ボルトにより筒体１２を耕耘部伝動ケース１に固着する点が記載されているので、刊行物２には「耕耘ケ−ス下部の左右側壁部に開口孔を開設して、各々の開口孔の外側をその開口孔の周縁に止着される着脱自在の蓋体で閉塞するようになし、支持筒部を蓋体に形成した構成が実質的に記載されており、刊行物１に記載された発明に前記構成を施して相違点（Ａ）とすることは当業者が容易に想到し得る事項である。
　
相違点（Ｂ）について
　刊行物２には「主出力軸を耕耘ケ−ス内において主伝動機構に連動させ、副出力軸は各々の内方軸端部に設けた受動ギヤを前記主伝動機構に連動する中間回転軸に設けた駆動ギヤに噛合させた副伝動機構によって主出力軸とは反対方向に回転駆動するようにし」た構成が記載されており、刊行物１に記載された発明に前記構成を施して相違点（Ｂ）とすることは当業者が容易に想到し得る事項である。
　
相違点（Ｃ）について
　刊行物２には「副伝動機構のギヤ列を耕耘ケ−スの側壁に開設された開口孔に各々填まり込み位置させ、支持筒部から横側方に突出する副出力軸によって第２耕耘筒を回転駆動」する構成が記載されており、刊行物１に記載された発明に前記構成を施して相違点（Ｃ）とすることは当業者が容易に想到し得る事項である。
　
　したがって、本件発明１は刊行物１及び２に記載された発明に基づいて当業者が容易に発明をすることができたものである。
　そして、本件発明１の奏する効果は刊行物１及び２に記載された発明から当業者が容易に予測し得るものであって、格別顕著なものとも認められない。
　
（２）本件発明２について
　本件発明２は、本件発明１において「主出力軸(６)とそれに外嵌して反対方向に回転する副出力軸(１２ａ)(１２ａ)との間にダストシ−ル(１５)を介装するとともに、
　副出力軸(１２ａ)(１２ａ)と支持筒部(３ａ)(３ａ)との間にシ−ル(１７)をそれぞれ介装」する構成としたものである。
　本件発明１については、上記３−３．（１）で検討している。
　刊行物１に記載された発明には、主出力軸とそれに外嵌する副出力軸とが反対方向に回転する構成が記載されている。
　固定された軸受け側と回転する軸側間のように、封印する必要のある部分にシール部材を設けて分離することは周知（例えば、刊行物３、実願昭６３−１６０５９号（実開平１−１２１３０２号）のマイクロフィルム）であるから、
　刊行物１に記載された発明の「主出力軸とそれに外嵌して反対方向に回転する副出力軸との間」、及び、「副出力軸と支持筒部との間」に、「ダストシ−ル」、及び、「シ−ル」をそれぞれ介装する構成とすることは、当業者が容易に想到し得る事項である。
　したがって、本件発明２は刊行物１及び２に記載された発明及び上記周知技術に基づいて当業者が容易に発明をすることができたものである。
　そして、本件発明２の奏する効果は刊行物１及び２記載された発明及び上記周知技術から当業者が容易に予測し得るものであって、格別顕著なものとも認められない。
　
（３）本件発明３について
　本件発明３は、本件発明１において「副出力軸(１２ａ)(１２ａ)によって回転駆動される第２耕耘筒(１３)(１３)を前記支持筒部(３ａ)(３ａ)の外径部にそれぞれ回転自在に軸受支承して、
　各々の第２耕耘筒(１３)(１３)内部を背反に回転する主出力軸（６）と副出力軸（１２ａ）（１２ａ）間に介装するダストシール（１５）及び副出力軸（１２ａ）（１２ａ）と支持筒部（３ａ）（３ａ）間に介装するシール（１７）の共存によって耕耘ケース（１）の内部とは分離された別室として独立に油封潤滑するようにしてある」構成としたものである。
　本件発明１については、上記３−３．（１）で検討している。
　刊行物１に記載された発明には、第２耕耘筒が副出力軸によって回転駆動される構成も記載されている。
　刊行物３には、第２耕耘筒を支持筒部の外径部にそれぞれ回転自在に軸受支承して、各々の第２耕耘筒内部を耕耘ケ−スの内部とは分離された別室として独立に油封潤滑するようにしてある構成が記載されており、
　固定された軸受け側と回転する軸側間のように、封印する必要のある部分にシール部材を設けて分離することは上記３−３．（２）でも検討したように周知であるから、
　刊行物１に記載された発明において、「副出力軸によって回転駆動される第２耕耘筒を前記支持筒部の外径部にそれぞれ回転自在に軸受支承して、
　各々の第２耕耘筒内部を背反に回転する主出力軸と副出力軸間に介装するダストシール及び副出力軸と支持筒部間に介装するシールの共存によって耕耘ケースの内部とは分離された別室として独立に油封潤滑するようにしてある」構成とすることは、当業者が容易に想到できるものと認められる。
　したがって、本件発明３は刊行物１ないし３に記載された発明及び上記周知技術に基づいて当業者が容易に発明をすることができたものである。
　そして、本件発明３の奏する効果は刊行物１ないし３に記載された発明の奏する効果の総和以上の顕著なものとも認められない。
　
３−４．むすび
　以上のとおりであるから、請求項１ないし３に係る発明は、特許法第２９条第２項の規定により特許を受けることができない。
　したがって、請求項１ないし３に係る発明の特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年６月１８日（２００３．６．１８）
【訂正の要旨】
審決（決定）の【理由】欄参照。
（５４）【発明の名称】
部分逆転ロ−タリ耕耘装置
（５７）【特許請求の範囲】
　【請求項１】　
耕耘ケ−ス（１）下部の左右側壁を外方に膨出しない平坦壁に形成しその平坦な左右側壁部に開口孔（２）（２）を開設して、各々の開口孔（２）（２）の外側をその開口孔の周縁に止着される着脱自在の蓋体（３）（３）で閉塞するようになし、蓋体（３）（３）に形成された支持筒部（３ａ）（３ａ）に、主出力軸（６）に副出力軸（１２ａ）（１２ａ）を回転自在に外嵌して同芯二重軸とした両出力軸（６）、（１２ａ）（１２ａ）を内挿して回転自在に支承し、主出力軸（６）を耕耘ケ−ス（１）内において主伝動機構（４）に連動させ、副出力軸（１２ａ）（１２ａ）は各々の内方軸端部に設けた受動ギヤ（１２）（１２）を前記主伝動機構（４）に連動する中間回転軸（５）に設けた駆動ギヤ（１１）（１１）に噛合させた副伝動機構（ＧＬ）（ＧＲ）によって主出力軸（６）とは反対方向に回転駆動するようにして
　【請求項２】　
耕耘ケ−ス（１）下部の左右側壁を外方に膨出しない平坦壁に形成しその平坦な左右側壁部に開口孔（２）（２）を開設して、各々の開口孔（２）（２）の外側をその開口孔の周縁に止着される着脱自在の蓋体（３）（３）で閉塞するようになし、蓋体（３）（３）に形成された支持筒部（３ａ）（３ａ）に、主出力軸（６）に副出力軸（１２ａ）（１２ａ）を回転自在に外嵌して同芯二重軸とした両出力軸（６）、（１２ａ）（１２ａ）を内挿して回転自在に支承し、主出力軸（６）を耕耘ケ−ス（１）内において主伝動機構（４）に連動させ、副出力軸（１２ａ）（１２ａ）は各々の内方軸端部に設けた受動ギヤ（１２）（１２）を前記主伝動機構（４）に連動する中間回転軸（５）に設けた駆動ギヤ（１１）（１１）に噛合させた副伝動機構（ＧＬ）（ＧＲ）によって主出力軸（６）とは反対方向に回転駆動するようにして
それに外嵌して反対方向に回転する
　【請求項３】　
耕耘ケ−ス（１）下部の左右側壁を外方に膨出しない平坦壁に形成しその平坦な左右側壁部に開口孔（２）（２）を開設して、各々の開口孔（２）（２）の外側をその開口孔の周縁に止着される着脱自在の蓋体（３）（３）で閉塞するようになし、蓋体（３）（３）に形成された支持筒部（３ａ）（３ａ）に、主出力軸（６）に副出力軸（１２ａ）（１２ａ）を回転自在に外嵌して同芯二重軸とした両出力軸（６）、（１２ａ）（１２ａ）を内挿して回転自在に支承し、主出力軸（６）を耕耘ケ−ス（１）内において主伝動機構（４）に連動させ、副出力軸（１２ａ）（１２ａ）は各々の内方軸端部に設けた受動ギヤ（１２）（１２）を前記主伝動機構（４）に連動する中間回転軸（５）に設けた駆動ギヤ（１１）（１１）に噛合させた副伝動機構（ＧＬ）（ＧＲ）によって主出力軸（６）とは反対方向に回転駆動するようにして
背反に回転する主出力軸（６）と副出力軸（１２ａ）（１２ａ）間に介装するダストシ−ル（１５）及び副出力軸（１２ａ）（１２ａ）と支持筒部（３ａ）（３ａ）間に介装するシ−ル（１７）の共存によって
【発明の詳細な説明】
　【０００１】
　【産業上の利用分野】
　本発明は、ロ−タリ爪軸筒を背反に回転する複数の耕耘筒によって構成するロ−タリ耕耘装置（以下、部分逆転ロ−タリ耕耘装置という）に関する。
　【０００２】
　【従来の技術】
　従来、主伝動機構の出力軸と、その出力軸に対して反対方向に回転する副伝動機構の出力軸とを同芯二重軸状にして各々が独立回転するように耕耘ケ−スに支承横設し、両出力軸の軸芯方向に並設する第１耕耘筒及び第２耕耘筒のうち、耕耘ケ−スの横脇部に位置する第２耕耘筒を副出力軸によって回転駆動するとともに、第２耕耘筒の軸芯方向外側部に位置する第１耕耘筒を主出力軸で回転駆動するようにした部分逆転ロ−タリ耕耘装置が知られている（例えば、特公昭４６−３９０４１号公報参照）。
　【０００３】
　【発明が解決しようとする課題】
　上記文献にみられる従来の部分逆転ロ−タリ耕耘装置は、二重軸状に設けられる主出力軸及び副出力軸と、副出力軸に動力伝達する伝動ギヤ列の駆動ギヤが設けられる回転軸を共に耕耘ケ−ス側に軸受支持してその外方を蓋体によって覆うものであったから、主副両出力軸及びそれらを回転駆動する主伝動機構や副伝動機構の組立分解が困難でメンテナスなどに難渋し、また、蓋体を含む耕耘ケ−スの全横幅が広幅になるため耕耘ケ−ス下方の残耕処理に不利が生じる問題があり、さらに、耕耘ケ−スとその横脇部に位置する第２耕耘筒の内部が一連に内部連通するものであったから、メンテナンス等に際して第２耕耘筒が取り外されると耕転ケ−ス内部の潤滑油が流出してしまうという問題もあった。
　【０００４】
　【課題を解決するための手段】
　本発明は、かかる問題点を解消することを目的とするもので、目的を達成するため、
耕耘ケ−ス（１）下部の左右側壁を外方に膨出しない平坦壁に形成しその平坦な左右側壁部に開口孔（２）（２）を開設して、各々の開口孔（２）（２）の外側をその開口孔の周縁に止着される着脱自在の蓋体（３）（３）で閉塞するようになし、蓋体（３）（３）に形成された支持筒部（３ａ）（３ａ）に、主出力軸（６）に副出力軸（１２ａ）（１２ａ）を回転自在に外嵌して同芯二重軸とした両出力軸（６）、（１２ａ）（１２ａ）を内挿して回転自在に支承し、主出力軸（６）を耕耘ケ−ス（１）内において主伝動機構（４）に連動させ、副出力軸（１２ａ）（１２ａ）は各々の内方軸端部に設けた受動ギヤ（１２）（１２）を前記主伝動機構（４）に連動する中間回転軸（５）に設けた駆動ギヤ（１１）（１１）に噛合させた副伝動機構（ＧＬ）（ＧＲ）によって主出力軸（６）とは反対方向に回転駆動するようにして
　【０００５】
　そして、上記部分逆転ロ−タリ耕耘装置においては、主出力軸とそれに外嵌する副出力軸との間にダストシ−ルを介装するとともに、副出力軸と支持筒部との間にシ−ルを介装して軸封するのが好ましい。また、副出力軸によって回転駆動される第２耕耘筒を蓋体の支持筒部外径に回転自在に軸受支承して設ける場合には、その第２耕耘筒内部を耕耘ケ−スの内部とは分離された別室として独立に油封潤滑するのがよい。
　【０００６】
　【実施例】
　本発明の実施例について図面を参照して説明するが、図面は、第２耕耘筒が傾斜耕耘筒になったセンタ−ドライブ型の部分逆転ロ−タリ耕耘装置として構成された具体例を示しており、図１は本発明に係る部分逆転ロ−タリ耕耘装置の要部の断面図、図２はその一部分を拡大した断面図、図３は内部分離用シ−ルの一部分を拡大した部分図、図４は第２耕耘筒に装着する耕耘爪の配置例を示した側面図、図５は第２耕耘筒に装着する跳ね出し翼を備えた耕耘爪を示す正面図である。
　【０００７】
　図１および図２において、耕耘ケ−ス（１）は、その下方の左右壁部に上下方向長さ（Ｌ）の開口孔（２）（２）を開設し、各々の開口孔（２）（２）の外側を、開口孔の周縁に締結取着する蓋体（３）（３）で閉塞するように構成される。
　そして、各々の蓋体（３）には、耕耘ケ−ス（１）内の主伝動機構（４）に連動する中間回転軸（５）の軸端部を軸受支持する部分が設けられており、また、別個所においては、外側方に向けて延出する支持筒部（３ａ）が一体に形設されている。
　【０００８】
　耕耘ケ−ス（１）内の主伝動機構（４）は、耕耘ケ−ス（１）の下部に横設される水平軸心（Ｏ１）の主出力軸（６）を、図外の耕耘ケ−ス上部に設けられる入力軸に連動連結するチエン伝動機構に構成され、前記中間回転軸（５）は、主出力軸（６）よりも伝動上位にあって主出力軸（６）に平行に設けられ、チエン伝動機構に係り合うスプロケット（７）によって回転駆動されるようになっている。なお、（８）は前記出力軸の中央部に嵌着される受動スプロケット、（９）はチエン、（１０）はテンションスプロケットである。
　【０００９】
　中間回転軸（５）のスプロケット（７）の左右両脇部分には駆動ギヤ（１１）（１１）が嵌着され、それぞれの駆動ギヤ（１１）（１１）に、前記主出力軸（６）に回転自在に外嵌される受動ギヤ（１２）（１２）がそれぞれ常時噛合されて、左右の副伝動機構（ＧＬ）（ＧＲ）が構成されており、各駆動ギヤと受動ギヤ（１１）（１２）、（１１）（１２）は、それぞれ上述した耕耘ケ−ス（１）の開口孔（２）（２）に填まり込む状態に位置されている。
　【００１０】
　副伝動機構（ＧＬ）（ＧＲ）は、後述する第２耕耘筒（１３）（１３）を、主伝動機構（４）の主出力軸（６）に対して反対方向に回転駆動するためのものであり、各々の副伝動機構（ＧＬ）（ＧＲ）における前記受動ギヤ（１２）（１２）は、それぞれの副伝動機構（ＧＬ）（ＧＲ）の副出力軸（１２ａ）（１２ａ）の内端部に一体に形成されている。
　そして、各々の副伝動機構（ＧＬ）（ＧＲ）の副出力軸（１２ａ）は、ニ−ドルベアリング（１４）を介して主伝動機構（４）の出力軸（６）に回転自在に外嵌して主伝動機構（４）の主出力軸（６）と同芯二重軸状に設けられ、前記ニ−ドルベアリング（１４）の外側部位にダストシ−ル（１５）をそれぞれ介装して両出力軸（１２ａ）（６）の嵌合面を軸封している。
　【００１１】
　また、各々の副伝動機構（ＧＬ）（ＧＲ）の副出力軸（１２ａ）（１２ａ）は、プレ−ンメタル（１６）を介して前記蓋体（３）（３）の支持筒部（３ａ）（３ａ）の内径孔に内嵌支持され、支持筒部（３ａ）（３ａ）の外端部において副出力軸（１２ａ）（１２ａ）の外径と支持筒部（３ａ）（３ａ）の内径孔面との間に介装するシ−ル（１７）によって両者間を軸封している。
　前記シ−ル（１７）は、耐油性ゴムなどの弾性材によって形成されていて、インボリュ−トスプライン孔に形成された内径部（１７ａ）を、前記副出力軸（１２ａ）の外径部に刻設されたインボリュ−トスプライン部に外嵌合致させると共に、外周のリップ部（１７ｂ）を、前記支持筒部（３ａ）の内径孔面に当接させて設けられている。
　【００１２】
　副伝動機構（ＧＬ）（ＧＲ）の副出力軸（１２ａ）（１２ａ）は、耕耘ケ−ス（１）の一部分である前記支持筒部（３ａ）（３ａ）の外端より外方に延出され、この延出部分にインボリュ−トスプラインがそれぞれ刻設されていて、各々のインボリュ−トスプライン部にスパ−ギヤ（１８）を嵌着固定し、スパ−ギヤ（１８）を第２耕耘筒（１３）（１３）に形設されているインタ−ナルギヤ（１９）（１９）に噛合させて第２耕耘筒（１３）（１３）を回転駆動する最終伝動部（２０）（２０）が構成されている。
　【００１３】
　各々の第２耕耘筒（１３）（１３）は、前記両出力軸（６）、（１２ａ）（１２ａ）の軸芯（Ｏ１）に対して一定角度に傾斜する軸心（Ｏ２）の回りを回転するように、支持筒部（３ａ）の外径に軸受（２１）を介して回転自在に支承されており、その内方端部は、支持筒部（３ａ）の外径との間に介装する通常のオイルシ−ル（２２）によって軸封されるが、外方端部は、傾斜回転に伴う間隔変化に追従することができるように撓みシ−ル（２３）によって軸封されている。
　なお、撓みシ−ル（２３）は、図２の拡大図にみられるように、副伝動機構の副出力軸（１２ａ）と第２耕耘筒（１３）との間に介装され、両者の間隔変化に追従して屈伸する部分の動きを妨げない範囲で、その屈伸部分を保護する鍔部（２４）を外側に付設したものとなっている。
　【００１４】
　さらに、各々の第２耕耘筒（１３）の外端外周部を、前記両軸
心
　【００１５】
　そうして、第２耕耘筒（１３）には必要数の耕耘爪取付座（２６）が設けられ、各々の耕耘爪取付座（２６）に耕耘爪が取り付けられるのであるが、実施例のものにおいては、図４にみられるように、回転方向（Ｒ）に位相を異ならせて４個の耕耘爪取付座（２６）・・が設けられ、それらの内の２個に、回転径（Ｄ１）の一般的な耕耘なた爪（２７）が装着されている。
　また、耕耘爪取付座の他の一個には、前記なた爪（２７）の回転径よりやや大径（Ｄ２）の直刃（２８）が取り付けられ、その直刃でもって土壌を縦に切開することによって耕耘所要動力を低減するように配慮され、さらに、もう一つの耕耘爪取付座には前記耕耘なた爪（２７）の回転径（Ｄ１）よりも小径（Ｄ３）の跳ね出し翼（２９ａ）付き耕耘爪（２９）が取り付けられて、その耕耘爪（２９）の跳ね出し作用で耕耘ケ−ス（１）の側面との間に堆積せんとする土壌や草藁類を跳ね飛ばし排除するように構成されている。
　【００１６】
　（３０）（３０）は第１耕耘筒であり、各々の第１耕耘筒（３０）は、前記保護カバ−（２５）を嵌着したうえで、その外方から主伝動機構（４）の主出力軸（６）に着脱自在に挿し込んで楔着固定され、外周には必要数の耕耘爪取付座（３１）が間配り装着され、各々の取付座に一般的な耕耘なた爪（３２）が取り付けられている。
　【００１７】
　なお、本発明は、一般的な耕耘機や、管理機或いはティラ−などの小型軽量機用のロ−タリ耕耘装置に適用できることは勿論のこと、乗用トラクタ用のロ−タリ耕耘装置にも適用できるのであり、また、本発明の実施は、センタ−ドライブ型のロ−タリ耕耘装置に限られるものではなく、サイドドライブ型のロ−タリ耕耘装置であっても、第２耕耘筒を第１耕耘筒の両端部に配置し換える変更のみによって同機能を発揮するものとして適用できるのである。
　【００１８】
　【発明の効果】
　以上のように本発明装置は、
耕耘ケ−ス（１）下部の左右側壁を外方に膨出しない平坦壁に形成しその平坦な左右側壁部に開口孔（２）（２）を開設して、各々の開口孔（２）（２）の外側をその開口孔の周縁に止着される着脱自在の蓋体（３）（３）で閉塞するようになし、蓋体（３）（３）に形成された支持筒部（３ａ）（３ａ）に、主出力軸（６）に副出力軸（１２ａ）（１２ａ）を回転自在に外嵌して同芯二重軸とした両出力軸（６）、（１２ａ）（１２ａ）を内挿して回転自在に支承し、主出力軸（６）を耕耘ケ−ス（１）内において主伝動機構（４）に連動させ、副出力軸（１２ａ）（１２ａ）は各々の内方軸端部に設けた受動ギヤ（１２）（１２）を前記主伝動機構（４）に連動する中間回転軸（５）に設けた駆動ギヤ（１１）（１１）に噛合させた副伝動機構（ＧＬ）（ＧＲ）によって主出力軸（６）とは反対方向に回転駆動するようにして
耕耘ケ−ス（１）下部の外方に膨出しない平坦壁部に開設された開口孔（２）（２）に
　【００１９】
　また、主出力軸と
それに外嵌して反対方向に回転する
背反に回転する主出力軸と副出力軸間に介装するダストシ−ル及び副出力軸と支持筒部間に介装するシ−ルの共存により
【図面の簡単な説明】
　【図１】
　本発明に係る部分逆転ロ−タリ耕耘装置の要部の断面図である。
　【図２】
　図１の一部分を拡大した断面図である。
　【図３】
　内部分離用シ−ルの一部分を拡大した部分図である。
　【図４】
　第２耕耘筒に装着する耕耘爪の配置例を示した側面図である。
　【図５】
　第２耕耘筒に装着される跳ね出し翼を備えた耕耘爪を示す正面概略図である。
　【符号の説明】
　１　耕耘ケ−ス
　４　主伝動機構
　６　主出力軸
　ＧＬ　副伝動機構
　ＧＲ　副伝動機構
　１２ａ　副出力軸
　１３　第２耕耘筒
　１５　ダストシ−ル
　１７　シ−ル
　３０　第１耕耘筒